(57)【特許請求の範囲】
【請求項１】
第１の規格に対応する第１の光ディスクを再生するための第１のモードを少なくとも含む複数の規格に対応する複数のモードを切り換えて、対物レンズを通して光ビームを照射し、その光ビームが反射されたビームである反射ビームを検出する光ピックアップと、
対物レンズに対しフォーカスサーボとトラッキングサーボを掛けるサーボ手段と、
前記第１の規格に対応する光ビームに対する各規格に対応する光ディスクの反射率の分布範囲を示す反射率情報を規格ごとに複数記憶した記憶手段と、
光ピックアップを前記第１のモードに切り換えて前記第１の規格に対応する光ビームを光ディスクに照射させ、その光ビームを照射された光ディスクの反射率を計測する計測手段と、
前記計測手段が計測した計測値と、前記反射率情報とを比較する比較手段と、
光ディスクの種別を判別する光ディスク種別判別手段と、
を備え、
前記比較手段は、前記計測値が、いずれかの反射率情報における分布範囲と他のいずれかの反射率情報における分布範囲とが重複している範囲である重複範囲に含まれるか否かと、いずれかの反射率情報における分布範囲に含まれ、かつ、他のいずれの反射率情報における分布範囲にも含まれない範囲である単一範囲に含まれるか否かとを判定し、
前記光ディスク種別判別手段は、前記比較手段によって前記計測値が前記単一範囲に含まれると判定された場合は、前記比較手段による比較結果に基づいて光ディスクの種別を判別し、
前記比較手段によって前記計測値が前記重複範囲に含まれると判定された場合は、前記サーボ手段にトラッキングサーボオン制御を実行させ、そのトラッキングサーボオン制御が成功したか否かに基づいて、光ディスクの種別を判別すること、
を特徴とする光ディスク装置。
【請求項２】
前記光ピックアップは、第２の規格に対応する第２の光ディスクを再生するための第２のモードを含む複数のモードを切り換えて、前記反射ビームを検出可能であり、
前記記憶手段が記憶する複数の反射率情報は、前記第１の規格に対応する光ビームに対する前記第１の光ディスクの反射率の分布範囲である第１の範囲を示す反射率情報と、前記第１の規格に対応する光ビームに対する前記第２の光ディスクの反射率の分布範囲である第２の範囲を示す反射率情報を含み、
前記第１の範囲と前記第２の範囲とは一部重複しており、
前記比較手段は、前記計測値が、前記第１の範囲と前記第２の範囲とが重複している重複範囲に含まれるか否かと、前記第１の範囲に含まれ、かつ、他のいずれの反射率情報における分布範囲にも含まれない単一範囲に含まれるか否かと、を判定し、
前記光ディスク種別判別手段は、前記比較手段によって前記計測値が前記第１の範囲には含まれ、かつ、他のいずれの反射率情報における分布範囲にも含まれない単独範囲に含まれると判定された場合は、前記比較手段による比較結果に基づいて光ディスクの種別を判別し、
前記比較手段によって前記計測値が前記第１の範囲と前記第２の範囲とが重複している重複範囲に含まれると判定された場合は、前記サーボ手段に、前記第１のモード及び前記第２のモードのうち、波長が長い光ビームを用いる方のモードで、トラッキングサーボオン制御を実行させ、そのトラッキングサーボオン制御が成功したか否かに基づいて、光ディスクの種別を判別すること、
を特徴とする請求項１記載の光ディスク装置。
【請求項３】
前記光ピックアップは、第３の規格に対応する第３の光ディスクを再生するための第３のモードを含む複数のモードを切り換えて、前記反射ビームを検出可能であり、
前記記憶手段は、前記第１の規格に対応する光ビームに対する前記第３の光ディスクの反射率の分布範囲である第３の範囲を示す前記反射率情報を記憶し、
前記第１の範囲と前記第２の範囲と前記第３の範囲とは一部重複しており、
前記比較手段は、前記計測値が、前記第１の範囲と前記第２の範囲と前記第３の範囲とが重複している重複範囲に含まれるか否かを判定し、
前記光ディスク種別判別手段は、前記比較手段によって前記計測値が前記第１の範囲と前記第２の範囲と前記第３の範囲とが重複している重複範囲に含まれると判定された場合は、前記サーボ手段に、前記第１のモード及び前記第２のモード及び前記第３のモードのうち、波長が最も長い光ビームを用いるモードで、トラッキングサーボオン制御を実行させ、そのトラッキングサーボオン制御が成功したか否かに基づいて、光ディスクの種別を判別すること、
を特徴とする請求項２記載の光ディスク装置。
【請求項４】
前記光ディスク種別判別手段は、前記比較手段によって前記計測値が前記第１の範囲と前記第２の範囲と前記第３の範囲とが重複している重複範囲に含まれると判定された場合に、前記サーボ手段に、前記第１のモード及び前記第２のモード及び前記第３のモードのうち、波長が最も長い光ビームを用いるモードで、トラッキングサーボオン制御を実行させ、そのトラッキングサーボオン制御が失敗したとき、前記第１のモード及び前記第２のモード及び前記第３のモードのうち、波長が２番目に長い光ビームを用いるモードで、トラッキングサーボオン制御を実行させ、そのトラッキングサーボオン制御が成功したか否かに基づいて、光ディスクの種別を判別すること、
を特徴とする請求項３記載の光ディスク装置。
【請求項５】
前記第１の規格はＣＤ規格であり、前記第２の規格はＤＶＤ規格であることを特徴とする請求項２〜４のいずれか１項に記載の光ディスク装置。
【請求項６】
第１の規格に対応する第１の光ディスクを再生するための第１のモードを少なくとも含む複数の規格に対応する複数のモードを切り換えて、対物レンズを通して光ビームを照射し、その光ビームが反射されたビームである反射ビームを検出して、光ディスクの種別を判別する光ディスク種別判別方法において、
前記第１のモードに切り換えて前記第１の規格に対応する光ビームを光ディスクに照射させ、その光ビームを照射された光ディスクの反射率を計測する計測ステップと、
前記第１の規格に対応する光ビームに対する各規格に対応する光ディスクの反射率の分布範囲を示す反射率情報を規格ごとに複数記憶した記憶手段を参照して、前記計測ステップにて計測した計測値と、前記反射率情報とを比較する比較ステップと、
光ディスクの種別を判別する光ディスク種別判別ステップと、
を有し、
前記比較ステップにおいて、前記計測値が、いずれかの反射率情報における分布範囲と他の反射率情報における分布範囲とが重複している範囲である重複範囲に含まれるか否かと、いずれかの反射率情報における分布範囲に含まれ、かつ、他のいずれの反射率情報における分布範囲にも含まれない範囲である単一範囲に含まれるか否かを判定し、
前記光ディスク種別判別ステップにおいて、前記比較ステップにて前記計測値が前記単一範囲に含まれると判定されたときは、前記比較ステップによる比較結果に基づいて光ディスクの種別を判別し、前記比較ステップにて前記計測値が前記重複範囲に含まれると判定されたときは、サーボ手段にトラッキングサーボオン制御を実行させ、そのトラッキングサーボオン制御が成功したか否かに基づいて、光ディスクの種別を判別すること、
を特徴とする光ディスク種別判別方法。
【発明の詳細な説明】
【技術分野】
【０００１】
本発明は光ディスク装置、光ディスク種別判別方法に係り、とくに少なくとも２種類の光ディスクに対応した光ディスク装置、光ディスク種別判別方法に関する。
【背景技術】
【０００２】
従来より大容量で安価な記録媒体として、波長７８０ｎｍの赤色レーザを使用するＣＤ（コンパクトディスク）、波長６５０ｎｍの赤色レーザを使用するＤＶＤ（ディジタルバーサタイルディスク）が実用化されており、１つの対物レンズでＣＤとＤＶＤの両者に対応した光ピックアップも既に実用化されている。近年、ＣＤ、ＤＶＤで使用される赤色系より更に短い波長４０５ｎｍの青紫色レーザを使用する次世代ＤＶＤと呼ばれるＢＤ（ブルーレイディスク）、ＨＤ（High Definition ）  ＤＶＤという２種類の高密度ディスクが実用化された。ＢＤとＨＤ  ＤＶＤは反射率はほぼ同じであるが、表面から信号面までの光透過保護層の厚さが前者が０．１ｍｍ、後者が０．６ｍｍと大きく異なり、対物レンズ開口数ＮＡも前者が０．８５、後者が０．６５という具合に大きく異なっている。ＨＤ  ＤＶＤはＤＶＤの上位規格として開発されたものであり、ＤＶＤとＨＤ  ＤＶＤとで対物レンズ開口数はほぼ同じであるが（ＤＶＤの対物レンズ開口数＝０．６）、レーザ波長が異なる。因みに、ＣＤはレーザ波長（＝７８０ｎｍ）、対物レンズ開口数（＝０．４５）とも他のディスクと異なる。
【０００３】
ところで、１つの対物レンズ、１つの光ピックアップでＣＤとＤＶＤの両者の信号読み取りを可能にしたマルチディスク装置の場合、ＣＤとＤＶＤに対する種別判別は正常に行なえるが、非対応のＨＤ  ＤＶＤをセットした場合、種別判別することができないためＣＤモードでフォーカスサーボをオン後、トラッキングサーボのオン動作を無駄に繰り返したり、ＤＶＤモードでフォーカスサーボをオン後、トラッキングサーボのオン動作を無駄に繰り返して、ユーザを長く待たせてしまっていた。また、非対応ディスクの種類を判別してユーザに警告することもできなかった。
【０００４】
【特許文献１】特開２００４−２０６７５３号公報
【発明の開示】
【発明が解決しようとする課題】
【０００５】
本発明は上記した従来技術の問題に鑑み、より速やかに光ディスクの種別判別する光ディスク装置、光ディスク種別判別方法を提供することを、その目的とする。
【課題を解決するための手段】
【０００６】
請求項１の発明は、第１の規格に対応する第１の光ディスクを再生するための第１のモードを少なくとも含む複数の規格に対応する複数のモードを切り換えて、対物レンズを通して光ビームを照射し、その光ビームが反射されたビームである反射ビームを検出する光ピックアップと、対物レンズに対しフォーカスサーボとトラッキングサーボを掛けるサーボ手段と、前記第１の規格に対応する光ビームに対する各規格に対応する光ディスクの反射率の分布範囲を示す反射率情報を規格ごとに複数記憶した記憶手段と、光ピックアップを前記第１のモードに切り換えて前記第１の規格に対応する光ビームを光ディスクに照射させ、その光ビームを照射された光ディスクの反射率を計測する計測手段と、前記計測手段が計測した計測値と、前記反射率情報とを比較する比較手段と、光ディスクの種別を判別する光ディスク種別判別手段と、を備え、前記比較手段は、前記計測値が、いずれかの反射率情報における分布範囲と他のいずれかの反射率情報における分布範囲とが重複している範囲である重複範囲に含まれるか否かと、いずれかの反射率情報における分布範囲に含まれ、かつ、他のいずれの反射率情報における分布範囲にも含まれない範囲である単一範囲に含まれるか否かとを判定し、前記光ディスク種別判別手段は、前記比較手段によって前記計測値が前記単一範囲に含まれると判定された場合は、前記比較手段による比較結果に基づいて光ディスクの種別を判別し、前記比較手段によって前記計測値が前記重複範囲に含まれると判定された場合は、前記サーボ手段にトラッキングサーボオン制御を実行させ、そのトラッキングサーボオン制御が成功したか否かに基づいて、光ディスクの種別を判別すること、を特徴としている。
前記光ピックアップは、第２の規格に対応する第２の光ディスクを再生するための第２のモードを含む複数のモードを切り換えて、前記反射ビームを検出可能であり、前記記憶手段が記憶する複数の反射率情報は、前記第１の規格に対応する光ビームに対する前記第１の光ディスクの反射率の分布範囲である第１の範囲を示す反射率情報と、前記第１の規格に対応する光ビームに対する前記第２の光ディスクの反射率の分布範囲である第２の範囲を示す反射率情報を含み、前記第１の範囲と前記第２の範囲とは一部重複しており、前記比較手段は、前記計測値が、前記第１の範囲と前記第２の範囲とが重複している重複範囲に含まれるか否かと、前記第１の範囲に含まれ、かつ、他のいずれの反射率情報における分布範囲にも含まれない単一範囲に含まれるか否かと、を判定し、前記光ディスク種別判別手段は、前記比較手段によって前記計測値が前記第１の範囲には含まれ、かつ、他のいずれの反射率情報における分布範囲にも含まれない単独範囲に含まれると判定された場合は、前記比較手段による比較結果に基づいて光ディスクの種別を判別し、前記比較手段によって前記計測値が前記第１の範囲と前記第２の範囲とが重複している重複範囲に含まれると判定された場合は、前記サーボ手段に、前記第１のモード及び前記第２のモードのうち、波長が長い光ビームを用いる方のモードで、トラッキングサーボオン制御を実行させ、そのトラッキングサーボオン制御が成功したか否かに基づいて、光ディスクの種別を判別するようにしてもよい。
また、前記光ピックアップは、第３の規格に対応する第３の光ディスクを再生するための第３のモードを含む複数のモードを切り換えて、前記反射ビームを検出可能であり、前記記憶手段は、前記第１の規格に対応する光ビームに対する前記第３の光ディスクの反射率の分布範囲である第３の範囲を示す前記反射率情報を記憶し、前記第１の範囲と前記第２の範囲と前記第３の範囲とは一部重複しており、前記比較手段は、前記計測値が、前記第１の範囲と前記第２の範囲と前記第３の範囲とが重複している重複範囲に含まれるか否かを判定し、前記光ディスク種別判別手段は、前記比較手段によって前記計測値が前記第１の範囲と前記第２の範囲と前記第３の範囲とが重複している重複範囲に含まれると判定された場合は、前記サーボ手段に、前記第１のモード及び前記第２のモード及び前記第３のモードのうち、波長が最も長い光ビームを用いるモードで、トラッキングサーボオン制御を実行させ、そのトラッキングサーボオン制御が成功したか否かに基づいて、光ディスクの種別を判別するようにしてもよい。
また、前記光ディスク種別判別手段は、前記比較手段によって前記計測値が前記第１の範囲と前記第２の範囲と前記第３の範囲とが重複している重複範囲に含まれると判定された場合に、前記サーボ手段に、前記第１のモード及び前記第２のモード及び前記第３のモードのうち、波長が最も長い光ビームを用いるモードで、トラッキングサーボオン制御を実行させ、そのトラッキングサーボオン制御が失敗したとき、前記第１のモード及び前記第２のモード及び前記第３のモードのうち、波長が２番目に長い光ビームを用いるモードで、トラッキングサーボオン制御を実行させ、そのトラッキングサーボオン制御が成功したか否かに基づいて、光ディスクの種別を判別するようにしてもよい。
また、前記第１の規格はＣＤ規格であり、前記第２の規格はＤＶＤ規格であるようにしても良い。
【０００７】
請求項６の発明は、第１の規格に対応する第１の光ディスクを再生するための第１のモードを少なくとも含む複数の規格に対応する複数のモードを切り換えて、対物レンズを通して光ビームを照射し、その光ビームが反射されたビームである反射ビームを検出して、光ディスクの種別を判別する光ディスク種別判別方法において、前記第１のモードに切り換えて前記第１の規格に対応する光ビームを光ディスクに照射させ、その光ビームを照射された光ディスクの反射率を計測する計測ステップと、前記第１の規格に対応する光ビームに対する各規格に対応する光ディスクの反射率の分布範囲を示す反射率情報を規格ごとに複数記憶した記憶手段を参照して、前記計測ステップにて計測した計測値と、前記反射率情報とを比較する比較ステップと、光ディスクの種別を判別する光ディスク種別判別ステップと、を有し、前記比較ステップにおいて、前記計測値が、いずれかの反射率情報における分布範囲と他の反射率情報における分布範囲とが重複している範囲である重複範囲に含まれるか否かと、いずれかの反射率情報における分布範囲に含まれ、かつ、他のいずれの反射率情報における分布範囲にも含まれない範囲である単一範囲に含まれるか否かを判定し、前記光ディスク種別判別ステップにおいて、前記比較ステップにて前記計測値が前記単一範囲に含まれると判定されたときは、前記比較ステップによる比較結果に基づいて光ディスクの種別を判別し、前記比較ステップにて前記計測値が前記重複範囲に含まれると判定されたときは、サーボ手段にトラッキングサーボオン制御を実行させ、そのトラッキングサーボオン制御が成功したか否かに基づいて、光ディスクの種別を判別すること、を特徴としている。
【発明の効果】
【０００８】
本発明によれば、より速やかに光ディスクの種別判別することができる。
【発明を実施するための最良の形態】
【０００９】
１つの光ピックアップ、共通の対物レンズによりＢＤ、ＤＶＤ、ＣＤの３種類の光ディスクを再生可能とする。青紫系のレーザ発光器によりＢＤ用の波長４０５ｎｍのレーザビームを発生させ、コリメートレンズで平行光束とし１／４波長板により直線偏光から円偏光に変換させ、液晶シャッター式の開口数可変素子を通して対物レンズにより光ディスクに集光させる。開口数可変素子はＢＤモード時、対物レンズの開口数を０．８５とさせる。光ディスクから反射し、対物レンズ、開口数可変素子を通り、１／４波長板により円偏光から直線偏光に変換された反射ビームは第２偏光ビームスプリッタにより進路を９０度曲げられ、カップリングレンズによりＢＤ用の光検出器に集光させる。ＢＤ用の光検出器は、ＢＤ用のＲＦ信号、フォーカスエラー信号、トラッキングエラー信号を作成するのに必な受光ダイオード群を有する。
一方、赤色系の波長６５０ｎｍ、７８０ｎｍのレーザビームを切り換え発光可能な発光ダイオード、ＤＶＤとＣＤの両方のＲＦ信号、フォーカスエラー信号、トラッキングエラー信号を作成するのに必な受光ダイオード群を有するＤＶＤ／ＣＤ用レーザ発光・受光ユニットを設け、ＤＶＤ（ＣＤ）用の波長６５０（７８０）ｎｍのレーザビームを発生させ、カップリングレンズで平行光束とし、第１偏光ビームスプリッタにより進路を９０度曲げて波長４０５ｎｍのレーザビームと同軸とし、１／４波長板により直線偏光から円偏光に変換させ、液晶シャッター式の開口数可変素子を通して対物レンズにより光ディスクに集光させる。開口数可変素子はＤＶＤモード時、対物レンズの開口数を０．６５とさせ、ＣＤモード時、開口数を０．４５とさせる。光ディスクから反射し、対物レンズ、開口数可変素子を通り、１／４波長板により円偏光から直線偏光に変換された反射ビームは波長選択性の有る第２偏光ビームスプリッタを通過し、第１偏光ビームスプリッタで進路を９０度曲げられて、カップリングレンズによりＤＶＤ／ＣＤ用レーザ発光・受光ユニットに集光させる。
【００１０】
ヘッドアンプは切り換えスイッチを介して、ＢＤ用の光検出器から出力された光検出信号（ＢＤモード時）またはＤＶＤ／ＣＤ用発光・受光ユニットから出力された光検出信号（ＤＶＤモード、ＣＤモード時）を選択的に入力し、光ディスクの種別に応じたＲＦ信号、ＲＦ包洛線検波信号ＲＦＥＮＶ、フォーカスエラー信号ＦＥ、トラッキングエラー信号ＴＥを作成する。サーボ回路は、フォーカスエラー信号ＦＥとトラッキングエラー信号ＴＥに基づき光ディスクの種別に応じたフォーカス駆動信号とトラッキング駆動信号を生成し、フォーカスアクチュエータとトラッキングアクチュエータに印加する。
メモリに、光ピックアップからＣＤ用の波長λ１の第１の光ビームをＣＤ、ＤＶＤ、ＢＤ、ＨＤ  ＤＶＤの各種類毎に、同一の種類につき多数枚の光ディスクに照射し合焦させたときのＤＶＤ／ＣＤ用発光・受光ユニットの出力から計測した光ディスク反射率の分布範囲と光ディスクの種類を対応付けた反射率情報を記憶させておく。なお、ＢＤの分布範囲をＰBD（Ｌ）〜ＰBD（Ｈ）、ＨＤ  ＤＶＤの分布範囲をＰHD DVD（Ｌ）〜ＰHD DVD（Ｈ）、ＤＶＤの分布範囲をＰDVD （Ｌ）〜ＰDVD （Ｈ）、ＣＤの分布範囲をＰCD（Ｌ）〜ＰCD（Ｈ）とすると、統計的に、０＜ＰBD（Ｌ）〜ＰBD（Ｈ）＜ＰHD DVD（Ｌ）＜ＰDVD （Ｌ）＜ＰCD（Ｌ）＜ＰHD DVD（Ｈ）＜ＰDVD （Ｈ）＜ＰCD（Ｈ）≒１００％である。
【００１１】
コントローラは、対物レンズに対向する所定箇所に交換して設置された光ディスクの種別判別を行なう際、光ピックアップからＣＤ用の波長７８０ｎｍの光ビームを発射させ、開口数可変素子により対物レンズの開口数をＣＤに対応した０．４５とさせ、切り換えスイッチによりＤＶＤ／ＣＤ用発光・受光ユニットの出力を選択させ、ヘッドアンプとサーボ回路をＣＤモードとし、ＣＤに適合するＲＦ信号、ＲＦＥＮＶ、ＦＥ、ＴＥ、フォーカス駆動信号、トラッキング駆動信号を生成可能とした状態で、サーボ回路に対しフォーカスサーチ制御をし、フォーカスサーチ中のＲＦ信号のピークから光ディスク反射率を計測する。そして、計測値をメモリの内容と比較し、ＢＤのみの分布範囲に入っているときは光ディスクがＢＤと判別し、ＨＤ  ＤＶＤのみの分布範囲に入っているときは光ディスクが非対応ディスクのＨＤ  ＤＶＤと判別する。ＨＤ  ＤＶＤの分布範囲とＤＶＤの分布範囲の重なりのみに入っているときは、光ピックアップ、ヘッドアンプ、サーボ回路に対しＤＶＤモードでフォーカスサーボとトラッキングサーボオン制御をし、失敗したとき非対応光ディスクのＨＤ  ＤＶＤと判別し、成功したときＤＶＤと判別する。ＨＤ  ＤＶＤの分布範囲とＤＶＤの分布範囲とＣＤの分布範囲の重なりに入っているときは、光ピックアップ、ヘッドアンプ、サーボ回路にＣＤモードでフォーカスサーボとトラッキングサーボオン制御をし、成功したときＣＤと判別し、失敗したとき更に光ピックアップ、信号作成手段、サーボ手段にＤＶＤモードでフォーカスサーボとトラッキングサーボオン制御をし、成功したときＤＶＤと判別し、失敗したときＨＤ  ＤＶＤと判別する。ＨＤ  ＤＶＤと判別したときは、「非対応のＨＤ  ＤＶＤです」と警告表示する。
【実施例１】
【００１２】
図１は本発明の実施例に係るマルチディスク再生装置の光ディスク種別判別系の構成を示すブロック図である。
図１において、６０は共通の対物レンズにより所定箇所に交換して配置されるＢＤ、ＤＶＤ、ＣＤの３種類の光ディスク１を再生可能とする光ピックアップである。この内、６１は青紫色系のレーザ発光器であり、ＢＤ用の波長４０５ｎｍのレーザビームを発生させる。波長４０５ｎｍのレーザビームはコリメートレンズ６２で平行光束とされ、第１、第２偏光ビームスプリッタ６３、６４を通過し、１／４波長板６５により直線偏光から円偏光に変換される。更に、液晶シャッター式の開口数可変素子６６により開口数を可変され、対物レンズ６７により光ディスク１に集光される。開口数可変素子６６はＢＤモード時、対物レンズ６７の開口数を０．８５とさせる（図２（１）参照）。光ディスク１から反射し、対物レンズ６７、開口数可変素子６６を通り、１／４波長板６５により円偏光から行きと９０度直交する方向の直線偏光に変換された反射ビームは波長選択性を有する第２偏光ビームスプリッタ６４により進路を９０度曲げられ、カップリングレンズ６８によりＢＤ用の光検出器６９に集光させる。ＢＤ用の光検出器６９は、ＢＤ用のＲＦ信号、フォーカスエラー信号、トラッキングエラー信号を作成するのに必な受光ダイオード群を有する。
【００１３】
７０は赤色系の波長６５０ｎｍ、７８０ｎｍのレーザビームを切り換え発光可能な発光ダイオード、ＤＶＤとＣＤの両方のＲＦ信号、フォーカスエラー信号、トラッキングエラー信号を作成するのに必な受光ダイオード群を有するＤＶＤ／ＣＤ用レーザ発光・受光ユニットであり、ＤＶＤ（ＣＤ）用の波長６５０（７８０）ｎｍのレーザビームはカップリングレンズ７１で平行光束とされ、波長選択性を有する第１偏光ビームスプリッタ６３により進路を９０度曲げて波長４０５ｎｍのレーザビームの進路と同軸とされ、第２偏光ビームスプリッタ６４を通過し、１／４波長板６５により直線偏光から円偏光に変換される。更に、液晶シャッター式の開口数可変素子６６により開口数を可変され、対物レンズ６７により光ディスク１に集光される。開口数可変素子６６はＤＶＤモード時、対物レンズ６７の開口数を０．６５とさせ、ＣＤモード時、開口数を０．４５とさせる（図２（２）、（３）参照）。光ディスク１から反射し、対物レンズ６７、開口数可変素子６６を通り、１／４波長板６５により円偏光から直線偏光に変換されたＤＶＤ（ＣＤ）用の波長６５０（７８０）ｎｍの反射ビームは第１偏光ビームスプリッタ６３により進路を９０度曲げられ、カップリングレンズ７１によりＤＶＤ／ＣＤ用レーザ発光・受光ユニット７０に集光させる。７２ａは対物レンズ６７を光ディスク１の信号面の垂直方向へ変位させるフォーカスアクチュエータ、７２ｂは対物レンズ６７を光ディスク１の半径方向へ変位させるトラッキングアクチュエータである。
【００１４】
８０は光検出器６９、ＤＶＤ／ＣＤ用レーザ発光・受光ユニット７０から択一的に一方の系統の光検出信号出力を選択する切り換えスイッチ、８１はヘッドアンプであり、切り換えスイッチ８０の出力に基づき光ディスク１の種別に対応したＲＦ信号、ＲＦ包洛線信号ＲＦＥＮＶ、フォーカスエラー信号ＦＥ、トラッキングエラー信号ＴＥを作成する。８２はヘッドアンプ８１から入力した光ディスクの種別に応じたフォーカスエラー信号ＦＥとトラッキングエラー信号ＴＥに基づき光ピックアップ６０の対物レンズ６７に設けたフォーカスアクチュエータ７２ａ及びトラッキングアクチュエータ７２ｂを駆動し、フォーカスサーボとトラッキングサーボを掛けるサーボ回路、９０は光ディスク種別判別を含む装置の全体的な制御を行なうコントローラ、９１はメディアタイプ等の表示を行なう表示器である。
【００１５】
９２はメモリであり、光ピックアップからＣＤ用の波長λ１の第１の光ビームをＣＤ、ＤＶＤ、ＢＤ、ＨＤ  ＤＶＤの種類毎に、各種類とも多数枚の光ディスクに照射し合焦させたときのＤＶＤ／ＣＤ用発光・受光ユニットの出力から実測した光ディスク反射率の分布範囲と光ディスクの種類を対応付けてリストにした反射率情報が記憶させてある。なお、ＢＤの反射率分布範囲をＰBD（Ｌ）〜ＰBD（Ｈ）、ＨＤ  ＤＶＤの反射率分布範囲をＰHD DVD（Ｌ）〜ＰHD DVD（Ｈ）、ＤＶＤの反射率分布範囲をＰDVD （Ｌ）〜ＰDVD （Ｈ）、ＣＤの反射率分布範囲をＰCD（Ｌ）〜ＰCD（Ｈ）とすると、統計的に、０＜ＰBD（Ｌ）〜ＰBD（Ｈ）＜ＰHD DVD（Ｌ）＜ＰDVD （Ｌ）＜ＰCD（Ｌ）＜ＰHD DVD（Ｈ）＜ＰDVD （Ｈ）＜ＰCD（Ｈ）≒１００％であり、ＢＤ、ＨＤ  ＤＶＤ、ＤＶＤ、ＣＤの順に反射率分布範囲が高い方にシフトしている。ＢＤの反射率は小さく分布範囲は他の光ディスクと重ならない。ＨＤ  ＤＶＤの反射率分布範囲は、ＰDVD （Ｌ）より小さい部分は他の光ディスクと重なっておらず、ＰDVD （Ｌ）〜ＰCD（Ｌ）の部分がＤＶＤの反射率分布範囲とだけ重なっており、ＰCD（Ｌ）〜ＰHD DVD（Ｈ）の部分がＣＤ及びＤＶＤの分布範囲と重なっている（図３参照）。
【００１６】
図４と図５はコントローラ９０による光ディスク種別判別処理を示すフローチャートであり、以下、これらの図を参照してこの実施例の動作を説明する。
ＢＤ、ＨＤ  ＤＶＤ、ＤＶＤ、ＣＤの内の任意の光ディスクが図１の符号１の如く所定箇所に装てん済であるとして、まずコントローラ９０は各部をＣＤモードとし、ＣＤ用の光ビームを用いて光ディスク１の反射率の計測を行なう（図４のステップＳ１０）。具体的には、ＤＶＤ／ＣＤ用レーザ発光・受光ユニット７０にＣＤに対応した波長７８０ｎｍの光ビームを発射させ、開口数可変素子６６により対物レンズ６７の開口数をＣＤに対応した０．４５とさせ（図２（３）参照）、切り換えスイッチ８０によりＤＶＤ／ＣＤ用レーザ発光・受光ユニット７０の出力を選択させ、ヘッドアンプ８１とサーボ回路８２をＣＤモードとし、ＣＤに適合するＲＦ信号、ＲＦＥＮＶ、ＦＥ、ＴＥ、フォーカス駆動信号、トラッキング駆動信号を生成可能とした状態で、サーボ回路８２に対しフォーカスサーチ指令を与える。フォーカスサーボオン指令を受けたサーボ回路８２はフォーカスアクチュエータ７２ａを三角波信号で駆動する。対物レンズ６７から照射された光ビームが光ディスク１の信号面に合焦したときＲＦ信号がピークとなる。コントローラ９０はフォーカスサーチ中にヘッドアンプ８１からＲＦ信号を入力して、ピーク値を検出し、所定の換算を行なって光ディスク１の反射率ＲＥＦを計測し、内蔵メモリに記憶する。
【００１７】
次に、ＲＥＦをメモリ９２に記憶された反射率情報と比較する。ＰBD（Ｌ）≦ＲＥＦ≦ＰBD（Ｈ）であればＢＤと確定判別し、表示器９１に判別したメディアタイプである「ＢＤ」の表示等をして処理を終える（ステップＳ１１でＹＥＳ、Ｓ１２、Ｓ１３）。ＰHD DVD（Ｌ）≦ＲＥＦ≦ＰDVD （Ｌ）であればＨＤ  ＤＶＤと確定判別して「非対応のＨＤ  ＤＶＤです」等、メディアタイプを含むエラー表示をして処理を終える（ステップＳ１４でＹＥＳ、Ｓ１５、Ｓ１６）。ＰDVD （Ｌ）≦ＲＥＦ≦ＰCD（Ｌ）であればＨＤ  ＤＶＤまたはＤＶＤなので、ＤＶＤモードに切り換えてフォーカスサーボとトラッキングサーボをオンさせるピックアップサーボオン制御をする（ステップＳ１７、Ｓ１８、Ｓ１９）。具体的には、ＤＶＤ／ＣＤ用レーザ発光・受光ユニット７０にＤＶＤに対応した波長６５０ｎｍの光ビームを発射させ、開口数可変素子６６により対物レンズ６７の開口数をＤＶＤに対応した０．６とさせ（図２（２）参照）、切り換えスイッチ８０によりＤＶＤ／ＣＤ用レーザ発光・受光ユニット７０の出力を選択させ、ヘッドアンプ８１とサーボ回路８２をＤＶＤモードとし、ＤＶＤに適合するＲＦ、ＲＦＥＮＶ、ＦＥ、ＴＥ、フォーカス駆動信号、トラッキング駆動信号を生成可能とした状態で、サーボ回路８２に対しフォーカスサーボオン指令を与える。
【００１８】
フォーカスサーボオン指令を受けたサーボ回路８２はフォーカスアクチュエータ７２ａを三角波信号で駆動し、ＦＥが所定の一定以上の振幅を経てゼロクロスしたときフォーカスサーボ系を閉じてオンし、フォーカスサーボオン信号をコントローラ９０に出力し、以降、ＦＥに基づき作成した駆動信号でフォーカスアクチュエータ７２ａを駆動しフォーカス誤差を最小にさせる。コントローラ９０はフォーカスサーボオン信号を入力すると、続いてトラッキングサーボオン指令をサーボ回路８２に与える（ステップＳ１８）。該指令に基づきサーボ回路８２はトラッキングサーボオン動作を行なう。そして、トラッキングサーボのオンが成功したときトラッキングサーボオン信号をコントローラ９０に出力する。コントローラ９０はトラッキングサーボオン指令を与えてから一定時間内にトラッキングサーボのオンが成功すれば、ＤＶＤと判別し（ステップＳ２０、Ｓ２１）、成功しなければＨＤ  ＤＶＤと判別する（ステップＳ２０、Ｓ１５）。
【００１９】
ＰCD（Ｌ）≦ＲＥＦ≦ＰHD DVD（Ｌ）であればＨＤ  ＤＶＤまたはＤＶＤまたはＣＤなので、ＣＤモードに切り換えてフォーカスサーボとトラッキングサーボをオンさせるピックアップサーボオン制御をする（図５のステップＳ３０、Ｓ３１、Ｓ３２）。具体的には、ＤＶＤ／ＣＤ用レーザ発光・受光ユニット７０にＣＤに対応した波長７８０ｎｍの光ビームを発射させ、開口数可変素子６６により対物レンズ６７の開口数をＤＶＤに対応した０．４５とさせ（図２（３）参照）、切り換えスイッチ８０によりＤＶＤ／ＣＤ用レーザ発光・受光ユニット７０の出力を選択させ、ヘッドアンプ８１とサーボ回路８２をＣＤモードとし、ＣＤに適合するＲＦ、ＲＦＥＮＶ、ＦＥ、ＴＥ、フォーカス駆動信号、トラッキング駆動信号を生成可能とした状態で、サーボ回路８２に対しフォーカスサーボオン指令を与える。
【００２０】
フォーカスサーボオン指令を受けたサーボ回路８２はフォーカスアクチュエータ７２ａを三角波信号で駆動し、ＦＥが所定の一定以上の振幅を経てゼロクロスしたときフォーカスサーボ系を閉じてオンし、フォーカスサーボオン信号をコントローラ９０に出力する。コントローラ９０はフォーカスサーボオン信号を入力すると、続いてトラッキングサーボオン指令をサーボ回路８２に与え（ステップＳ３２）、該指令に基づきサーボ回路８２はトラッキングサーボオン動作を行なう。そして、トラッキングサーボのオンが成功したときトラッキングサーボオン信号をコントローラ９０に出力する。コントローラ９０はトラッキングサーボオン指令を与えてから一定時間内にトラッキングサーボのオンが成功すれば、ＣＤと判別し（ステップＳ３３、Ｓ３４）、成功しなければステップＳ１８に移行し、ＤＶＤモードにより、フォーカスサーボをオンさせたのち更にトラッキングサーボをオンさせ、トラッキングサーボオンに成功したときＤＶＤと判別し（ステップＳ１９、Ｓ２０、Ｓ２１）、成功しなかったときＨＤ  ＤＶＤと判別する（ステップＳ１５、Ｓ１６）。
【００２１】
ＰHD DVD（Ｈ）≦ＲＥＦ≦ＰDVD （Ｈ）であればＤＶＤまたはＣＤなので、ＣＤモードに切り換えてフォーカスサーボをオンさせ、続いてトラッキングサーボをオンさせる（ステップＳ３５、Ｓ３６、Ｓ３７）。コントローラ９０はトラッキングサーボオン指令を与えてから一定時間内にトラッキングサーボのオンが成功すれば、ＣＤと判別し（ステップＳ３８、Ｓ３４）、成功しなければＤＶＤと判別する（ステップＳ２１）。
ＰDVD （Ｈ）≦ＲＥＦ≦ＰCD（Ｈ）であればＣＤと判別する（ステップＳ３９、Ｓ３４）。ステップＳ３９でＮＯとなったときは、ディスク無しと判別する（ステップＳ４０）。
【００２２】
この実施例によれば、装置が再生可能なＢＤ、ＤＶＤ、ＣＤの光ディスクがセットされた場合に正しく種別判別できるほか、ＨＤ  ＤＶＤがセットされた場合にはＨＤ  ＤＶＤ用の光ビームを用いなくても非対応ディスクであること及びその種類を速やかに判別して、ユーザに種類とともに非対応ディスクである旨警告できる。
【００２３】
なお、上記した実施例では、ＢＤ／ＣＤ／ＤＶＤの３種類の光ディスクに対応した光ディスク装置を例に挙げたが、ＣＤ／ＤＶＤの２種類の光ディスクに対応した光ディスク装置であっても、ＢＤとＨＤ  ＤＶＤに対し種類を含めて非対応ディスクの判別ができる。また、ＨＤ  ＤＶＤ／ＤＶＤ、ＣＤに対応した光ディスク装置において、ＣＤ用とＤＶＤ用のレーザビームを用いて、ＨＤ  ＤＶＤ、ＤＶＤ、ＣＤの光ディスク種別判別ができる。
【産業上の利用可能性】
【００２４】
本発明は、ＣＤとＤＶＤを含む多種類の光ディスクに対応した光ディスク再生装置、光ディスク記録・再生装置などに適用できる。
【図面の簡単な説明】
【００２５】
【図１】本発明に係るマルチディスク再生装置の光ディスク種別判別系の構成を示すブロック図である（実施例１）。
【図２】図１中の開口数可変素子の動作説明図である。
【図３】図１中のメモリに記憶される光ディスクの種類別の反射率の分布範囲を表す反射率情報の説明図である。
【図４】図１中のコントローラの光ディスク種別判別処理を示すフローチャートである。
【図５】図１中のコントローラの光ディスク種別判別処理を示すフローチャートである。
【符号の説明】
【００２６】
１  光ディスク
６０  光ピックアップ
６１  レーザ発光器
６２  コリメートレンズ
６３  第１偏光ビームスプリッタ
６４  第２偏光ビームスプリッタ
６５  １／４波長板
６６  開口数可変素子
６７  対物レンズ
６８、７１  カップリングレンズ
６９  光検出器
７０  ＤＶＤ／ＣＤ用レーザ発光・受光ユニット
７２ａ  フォーカスアクチュエータ
７２ｂ  トラッキングアクチュエータ
８０  切り換えスイッチ
８１  ヘッドアンプ
８２  サーボ回路
９０  コントローラ
９１  表示器
９２  メモリ
【図１】
0004993174.tif 000002
【図２】
0004993174.tif 000003
【図３】
0004993174.tif 000004
【図４】
0004993174.tif 000005
【図５】
0004993174.tif 000006